(57)【要約】【課題】スピーカの取り付けの自由度を向上させつつ、製品コストの増大を抑制できる電子鍵盤楽器を提供すること。【解決手段】電子鍵盤楽器１は、導線１２ａのパターンが形成される振動膜１２と、その振動膜１２に対向配置される磁石板１１と、を有し、導線１２ａの通電に伴う電磁力によって振動膜１２を振動させる平板スピーカ１０を備える。これにより、平板スピーカ１０を駆動させる（振動膜１２を振動させる）際に、静電型のスピーカを用いる場合のようにバイアス電圧を印加する必要がない。よって、電圧を印加するための電源を不要にできるので、薄型の平板スピーカ１０を用いることで取り付けの自由度を向上させつつ、電子鍵盤楽器１の製品コストの増大を抑制できる。【選択図】図２
2020173295.tif 000002
【特許請求の範囲】
【請求項１】
複数の鍵と、それら複数の鍵を支持する筐体と、その筐体に配設される１又は複数のスピーカと、を備え、
少なくとも１つの前記スピーカは、導線のパターンが形成される振動膜と、その振動膜の両面に対向配置される一対の磁石板と、を備え、前記導線への通電に伴う電磁力によって前記振動膜を振動させる平板スピーカとして構成されることを特徴とする電子鍵盤楽器。
【請求項２】
前記筐体は、その側面または上面に形成され前記平板スピーカと対向して配置される第１の開口部と、その第１の開口部の縁部に沿った軸周りに回転し前記第１の開口部を開閉する蓋部と、を備え、
前記平板スピーカは、前記第１の開口部の開口面に対して傾斜して配置されることを特徴とする請求項１記載の電子鍵盤楽器。
【請求項３】
前記平板スピーカは、前記第１の開口部の近傍に配置され、
前記平板スピーカの前端側が後端側よりも前記筐体の内部側に配置されることを特徴とする請求項２記載の電子鍵盤楽器。
【請求項４】
前記筐体は、上下に長い略直方体状に形成され上面に前記第１の開口部が形成される本体部と、その本体部の前面に突出し複数の前記鍵を支持する鍵支持部と、を備えるアップライト形に形成され、
前記本体部は、その前面に形成され前記鍵支持部側に通じる第２の開口部と、前記平板スピーカよりも下方に設けられ前記平板スピーカから出力された楽音を前記第２の開口部側に向けて反射させる反射板と、を備えることを特徴とする請求項２又は３に記載の電子鍵盤楽器。
【請求項５】
前記反射板は、複数の前記鍵を支持するシャーシとして構成されることを特徴とする請求項４記載の電子鍵盤楽器。
【請求項６】
前記反射板は、前記第２の開口部から前記筐体の後面側に向けて突出し、
前記筐体内の前記反射板よりも上方側の空間と、下方側の空間とが前記反射板によって仕切られることを特徴とする請求項４又は５に記載の電子鍵盤楽器。
【請求項７】
前記筐体は、その前面に形成され前記平板スピーカと対向して配置される放音孔を備えることを特徴とする請求項１から６のいずれかに記載の電子鍵盤楽器。
【請求項８】
前記筐体は、上下に長い略直方体状に形成される本体部と、その本体部の前面に突出し複数の前記鍵を支持する鍵支持部と、を備えるアップライト形に形成され、
前記本体部の前面および後面のそれぞれに前記平板スピーカが配置されることを特徴とする請求項１から７のいずれかに記載の電子鍵盤楽器。
【請求項９】
前記筐体は、複数の脚部と、それら複数の脚部に支持され前記鍵からの奥行き寸法が高音側よりも低音側で大きくされる本体部と、を備えるグランドピアノ形に形成され、
前記本体部の上面に複数の前記平板スピーカが配置されることを特徴とする請求項１記載の電子鍵盤楽器。
【請求項１０】
複数の前記平板スピーカが格子状に並べて配置されることを特徴とする請求項９記載の電子鍵盤楽器。
【請求項１１】
前記本体部は、前記平板スピーカが支持される上板と、その上板の下方に位置する底板と、を備え、
前記底板は、前記平板スピーカと対向して形成される放音孔を備えることを特徴とする請求項９又は１０に記載の電子鍵盤楽器。
【発明の詳細な説明】
【技術分野】
【０００１】
本発明は、電子鍵盤楽器に関し、特に、平板状のスピーカを備える電子鍵盤楽器に関する。
【背景技術】
【０００２】
平板状のスピーカを備える電子鍵盤楽器が知られている。例えば、特許文献１には、静電型の面スピーカを電子鍵盤楽器に用いる技術が記載されている。この技術のように、コーンスピーカに比べて薄型の面スピーカを用いることにより、面スピーカの厚み方向（楽音の出力方向）でのスペースを有効に利用できる。言い換えると、電子鍵盤楽器の筐体内の限られた空間において、スピーカの取り付けの自由度を向上させることができる。
【先行技術文献】
【特許文献】
【０００３】
【特許文献１】特開２０１２−０３７８４０号公報（例えば、段落００１９，００７９，００８０、図２，５，８）
【発明の概要】
【発明が解決しようとする課題】
【０００４】
しかしながら、上述した従来の技術では、面スピーカが静電型のスピーカとして構成されるため、振動電極シートを振動させる際に、第１の固定電極シートや第２の固定電極シートと、振動電極シートとの間に数百Ｖのバイアス電圧を印加する必要がある。よって、面スピーカ専用の電源システムが必要となるため、コーンスピーカを用いる場合に比べて電子鍵盤楽器の製品コストが増大する。即ち、静電型の面スピーカを用いた場合、スピーカの取り付けの自由度を向上させることができる一方で、電子鍵盤楽器の製品コストが増大するという問題点があった。
【０００５】
本発明は、上述した問題点を解決するためになされたものであり、スピーカの取り付けの自由度を向上させつつ、製品コストの増大を抑制できる電子鍵盤楽器を提供することを目的としている。
【課題を解決するための手段】
【０００６】
この目的を達成するために本発明の電子鍵盤楽器は、複数の鍵と、それら複数の鍵を支持する筐体と、その筐体に配設される１又は複数のスピーカと、を備え、少なくとも１つの前記スピーカは、導線のパターンが形成される振動膜と、その振動膜の両面に対向配置される一対の磁石板と、を備え、前記導線への通電に伴う電磁力によって前記振動膜を振動させる平板スピーカとして構成される。
【図面の簡単な説明】
【０００７】
【図１】第１実施形態における電子鍵盤楽器の正面斜視図である。
【図２】電子鍵盤楽器の側面図である。
【図３】（ａ）は、平板スピーカの側面図であり、（ｂ）は、図３（ａ）のＩＩＩｂ−ＩＩＩｂ線における平板スピーカの断面図である。
【図４】（ａ）は、第２実施形態における電子鍵盤楽器の側面図であり、（ｂ）は、第３実施形態における電子鍵盤楽器の側面図である。
【図５】（ａ）及び（ｂ）は、第４実施形態における電子鍵盤楽器の上面図である。
【図６】第５実施形態における電子鍵盤楽器の正面斜視図である。
【発明を実施するための形態】
【０００８】
以下、好ましい実施の形態について、添付図面を参照して説明する。まず、図１及び図２を参照して、第１実施形態における電子鍵盤楽器１の構成について説明する。
【０００９】
図１は、第１実施形態における電子鍵盤楽器１の正面斜視図である。図２は、電子鍵盤楽器１の側面図であり、紙面垂直方向手前側の側板２１及び側面板４２が取り外された状態が図示される。なお、図１中の矢印Ｆ−Ｂ，矢印Ｕ−Ｄ及び矢印Ｌ−Ｒは、電子鍵盤楽器１の前後方向、上下方向および左右方向をそれぞれ表しており、図２以降においても同様とする。また、図１では、理解を容易とするために、スピーカ支持部材２６に対して天板２７が実際よりも大きく開いた状態で配置され、図２では、ブラケット２６ｂが二点鎖線で図示される。
【００１０】
図１及び図２に示すように、電子鍵盤楽器１は、本体部２と、その本体部２の前面（矢印Ｆ側の面）に配置される一対のコーンスピーカ３と、そのコーンスピーカ３の上方（矢印Ｕ側）に配置され本体部２の前面から突き出す鍵支持部４と、その鍵支持部４に支持される鍵盤ユニット５と、その鍵盤ユニット５を開閉自在に覆うための鍵盤蓋６と、本体部２の上面側に配置される一対の平板スピーカ１０と、を備えるアップライト形の電子鍵盤楽器（電子ピアノ）として構成される。
【００１１】
本体部２は、樹脂製、金属製または木製の板状体を用いて形成される筐体であり、上下に長い略直方体状に形成される。本体部２は、左右方向（矢印Ｌ−Ｒ方向）に所定間隔を隔てて配置される一対の側板２１と、それら一対の側板２１の後端（矢印Ｂ側の端部）を左右に接続する上側後板２２及び下側後板２３（図２参照）と、それら上側後板２２及び下側後板２３の前方側で一対の側板２１の前端を左右に接続する上側前板２４及び下側前板２５と、上側後板２２及び上側前板２４の上端側に固定されるスピーカ支持部材２６と、そのスピーカ支持部材２６に蝶番を介して回転可能に支持される天板２７と、を備える。
【００１２】
本体部２の上面には開口部２ａが形成され、その開口部２ａの開口面が天板２７によって開閉される。なお、開口部２ａの「開口面」とは、一対の側板２１、上側後板２２、上側前板２４の上端に沿う面であり、かかる開口面の後方側の縁部に沿った軸周りに天板２７が回転可能に構成されている。
【００１３】
上側後板２２（図２参照）は、本体部２の上部側の後面を構成し、下側後板２３は、上側後板２２よりも下方側（矢印Ｄ側）における本体部２の後面を構成している。また、上側前板２４は、本体部２の上部側の前面を構成し、下側前板２５は、上側前板２４よりも下方側における本体部２の前面を構成している。
【００１４】
上側前板２４及び下側前板２５が上下に所定間隔を隔てて配置されることにより、上側前板２４及び下側前板２５の間（本体部２の前面）には開口部２ｂ（図２参照）が形成され、その開口部２ｂの前方側に鍵支持部４が設けられる。
【００１５】
鍵支持部４は、鍵盤ユニット５を支持するシャーシ４１（図２参照）と、そのシャーシ４１の左右の両端側に配置される一対の側面板４２と、それら一対の側面板４２の前端（矢印Ｆ側の端部）を左右に接続する前面板４３と、シャーシ４１の下面から下方（矢印Ｄ側）に突き出す一対の脚部４４と、を備える。
【００１６】
シャーシ４１は、樹脂製、金属製または木製の板状体である。シャーシ４１は、開口部２ｂ（図２参照）を挟んで本体部２の内部および外部のそれぞれに張り出した状態で配置され、シャーシ４１の後端は、上側後板２２の下端部分に接触した状態で上側後板２２に固定される。また、左右方向（矢印Ｌ−Ｒ方向）におけるシャーシ４１の寸法は、一対の側板２１の対向間の距離と同等またはやや小さく形成される。
【００１７】
これにより、本体部２の内部は、一対の側板２１、上側後板２２及び上側前板２４に囲まれた上方側の空間と、一対の側板２１、下側後板２３及び下側前板２５に囲まれた下方側の空間とがシャーシ４１によって仕切られる。なお、シャーシ４１は、開口部２ｂの下端側（下側前板２５の上端に近接した位置）に配置される。
【００１８】
シャーシ４１の前端側（開口部２ｂよりも前方側）の部位は、一対の脚部４４によって支持され、そのシャーシ４１の前端側の部位に鍵盤ユニット５が支持される。
【００１９】
鍵盤ユニット５は、開口部２ｂの前方側に配置される複数（本実施形態では、８８個）の鍵５１を備える。鍵５１は、幹音を演奏するための複数（本実施形態では、５２個）の白鍵５１ａと、派生音を演奏するための複数（本実施形態では、３６個）の黒鍵５１ｂと、から構成され、それら複数の白鍵５１ａ及び黒鍵５１ｂが左右方向に並べて設けられる。鍵盤蓋６は、鍵５１を保護するためのものである。鍵盤蓋６が鍵５１に対して上方へ向けて回転することで、鍵５１が露出される。
【００２０】
電子鍵盤楽器１は、演奏者の操作（押鍵または離鍵）による鍵５１の揺動によってオン／オフされるスイッチ（図示せず）を備え、演奏者によって鍵５１が押鍵または離鍵されると、かかるスイッチがオン／オフされる。このスイッチのオン／オフ動作によって鍵５１の押鍵情報（ノート情報）が検出され、その検出結果に基づく楽音信号がコーンスピーカ３及び平板スピーカ１０に出力される。これにより、押鍵情報に基づく楽音がコーンスピーカ３及び平板スピーカ１０から出力される。
【００２１】
コーンスピーカ３は、振動板がコーン形に形成されるダイナミック型スピーカ（いわゆるコーンスピーカ）である。本実施形態においては、コーンスピーカ３からは、主に低音域の楽音が出力される。本体部２の下側前板２５には、左右に所定間隔を隔てる一対の放音孔２５ａ（図１参照）が形成され、それら一対の放音孔２５ａのそれぞれにコーンスピーカ３が嵌め込まれる。
【００２２】
平板スピーカ１０は、スピーカ支持部材２６によって開口部２ａの近傍（開口部２ａの開口面と平板スピーカ１０の後端との上下の間隔が２０ｃｍ以内となる位置）に支持される。スピーカ支持部材２６は、開口部２ａの開口面に対し略平行に設けられる板状体であり、上側後板２２及び上側前板２４の上端側にスピーカ支持部材２６が固定される。
【００２３】
スピーカ支持部材２６には、左右方向（矢印Ｌ−Ｒ方向）に並べて配置される複数（本実施形態では４個）の貫通孔２６ａ（図１参照）が形成される。貫通孔２６ａは、平板スピーカ１０から出力された楽音を通過させるための孔である。
【００２４】
スピーカ支持部材２６は、そのスピーカ支持部材２６から下方に突出するブラケット２６ｂを備える。ブラケット２６ｂに平板スピーカ１０が固定されることにより、平板スピーカ１０は、スピーカ支持部材２６の貫通孔２６ａと上下に対向して配置される。また、平板スピーカ１０は、スピーカ支持部材２６（開口部２ａ）に対して前方側に向けて下降傾斜した状態でスピーカ支持部材２６に支持される。
【００２５】
平板スピーカ１０は、左右方向（矢印Ｌ−Ｒ方向）に長い平板状に形成され、平板スピーカ１０の外形は、スピーカ支持部材２６の貫通孔２６ａ（図１参照）の内形よりもやや小さく形成される。複数の貫通孔２６ａのうち、左右方向の両端に位置する一対の貫通孔２６ａのそれぞれに対面して平板スピーカ１０が配置される。
【００２６】
上側前板２４の上端側には、平板スピーカ１０と前後で対面する位置に複数（本実施形態では４個）の放音孔２４ａが形成される。この放音孔２４ａは、平板スピーカ１０から出力された楽音を前方側に向けて放音するための貫通孔であり、左右に長いスリット状に形成される。
【００２７】
ここで、図３を参照して、平板スピーカ１０の構成について説明する。図３（ａ）は、平板スピーカ１０の側面図であり、図３（ｂ）は、図３（ａ）のＩＩＩｂ−ＩＩＩｂ線における平板スピーカ１０の断面図である。なお、図３（ａ）では、ケース部材１４の一部が破断された状態が図示される。また、図３（ｂ）では、図３（ａ）に示す緩衝部材１３の図示が省略され、磁石板１１のハッチングが省略して図示される。
【００２８】
図３（ａ）に示すように、平板スピーカ１０は、上下に対向配置される一対の磁石板１１と、それら一対の磁石板１１の間に配置される振動膜１２と、一対の磁石板１１及び振動膜１２の間にそれぞれ１枚ずつ配置され、通気性を有する不織布を用いて形成される緩衝部材１３と、一対の磁石板１１、振動膜１２及び複数の緩衝部材１３を収納し下面が開放される箱状のケース部材１４と、そのケース部材１４の下面を閉塞する蓋部材１５と、を備える。
【００２９】
なお、図３（ａ）及び図３（ｂ）では、理解を容易とするために、振動膜１２、緩衝部材１３、ケース部材１４及び蓋部材１５の厚み寸法を実際よりも大きくした状態、且つ、磁石板１１、振動膜１２及び緩衝部材１３の対向間の距離を実際よりも大きくした状態が図示される。
【００３０】
図３（ｂ）に示すように、磁石板１１の上下の両面には、一方向（図３（ｂ）の左右方向）にＮ極とＳ極とが交互に並べて着磁され、その磁極の並び方向と直交する方向（図３（ｂ）の紙面垂直方向）に延びるようにＮ極やＳ極が形成される。振動膜１２は、柔軟性のある樹脂フィルムを用いて形成され、振動膜１２の上面には、磁石板１１の磁極の並び方向（図３（ｂ）の左右方向）に蛇行する導線１２ａのパターンが形成される。
【００３１】
磁極の並び方向（図３（ｂ）の左右方向）においてＮ極とＳ極との境界となる位置に、導線１２ａの長手方向を沿わせるようにして振動膜１２が配置される。よって、平板スピーカ１０に入力される楽音信号に基づいた導線１２ａの通電により、振動膜１２に電磁力が作用し、その電磁力によって振動膜１２が厚み方向に振動（変位）する。振動膜１２の振動によって生じる楽音は、磁石板１１に形成される放音孔１６や、ケース部材１４及び蓋部材１５に形成される放音孔１７を介して外部に放音される。
【００３２】
これにより、押鍵時の楽音信号に基づいた楽音が平板スピーカ１０から出力される。平板スピーカ１０から出力される楽音は、振動膜１２の厚み方向の振動による平面波であるため、平板スピーカ１０の両面からは指向性の高い楽音が出力される。なお、この平板スピーカ１０の詳細な構成や楽音の生成方法については、公知の技術（例えば、特開平９−３３１５９６号など）と同様であるので、詳細な説明は省略する。
【００３３】
このように、本実施形態では、導線１２ａが形成される振動膜１２と、その振動膜１２に対向配置される磁石板１１と、を有し、導線１２ａへの通電に伴う電磁力によって振動膜１２を振動させる全面駆動型の平板スピーカ１０によって楽音を出力している。よって、平板スピーカ１０を駆動させる（振動膜１２を振動させる）際に、静電型のスピーカを用いる場合のようにバイアス電圧を印加する必要がない。よって、かかる電圧を印加するための電源を不要にできる。即ち、薄型の平板スピーカ１０を用いることにより、本体部２内の限られた空間でのスピーカの取付けの自由度を向上させつつ、電子鍵盤楽器１の製品コストの増大を抑制できる。
【００３４】
図２に戻って、平板スピーカ１０による楽音の放音について説明する。図２中の矢印Ａ１，Ａ２は、平板スピーカ１０の表面１０ａ及び裏面１０ｂから出力された楽音の放音経路をそれぞれ示している。なお、平板スピーカ１０の天板２７側（矢印Ｕ側）の面が表面１０ａであり、上側後板２２側（矢印Ｄ側）の面が裏面１０ｂである。
【００３５】
平板スピーカ１０は、その表面１０ａを本体部２の開口部２ａ（天板２７）に向けた姿勢で配置されるため、平板スピーカ１０の表面１０ａから出力される楽音は、開口部２ａを通過して天板２７に向けて直接伝播される。開放状態における天板２７は、開口部２ａ開口面に対し前方側に上昇傾斜して（本実施形態では２０°傾斜して）配置されるため、平板スピーカ１０の表面１０ａから出力された楽音は、天板２７に反射して電子鍵盤楽器１の前方側へ放音される（矢印Ａ１参照）。
【００３６】
このように、平板スピーカ１０の表面１０ａから出力された楽音を天板２７に反射させて本体部２の外部に放音させることにより、アコースティックピアノを模擬した楽音を放音し易くできる。更に、平板スピーカ１０の表面１０ａから出力された楽音が電子鍵盤楽器１の前方側へ向けて放音されるため、演奏者へ向けて放音し易くできる。
【００３７】
ここで、天板２７によって電子鍵盤楽器１の前方側に反射させた楽音を、開口部２ａよりも下方側に向けて（前方の斜め下側に向けて）放音させるためには、天板２７の角度を開口部２ａの開口面に対して４５°未満とする必要がある。この場合、例えば、平板スピーカ１０が開口部２ａの開口面に対して平行に支持される構成であると、平板スピーカ１０の表面１０ａから出力された楽音が天板２７に反射して本体部２の内部に向けて伝播され易くなってしまう。よって、平板スピーカ１０の表面１０ａから出力された楽音を効率良く電子鍵盤楽器１の外部に放音することができない。
【００３８】
これに対して本実施形態では、一対の平板スピーカ１０の前端が後端よりも本体部２の内部側（下方）に配置され、前方側に下降傾斜した状態（本実施形態では開口部２ａの開口面に対して２８°傾斜した状態）でスピーカ支持部材２６に支持される。
【００３９】
これにより、天板２７の角度を開口部２ａの開口面に対して４５°未満とした場合であっても、天板２７に反射した楽音が本体部２の内部に伝播されることを抑制できる。即ち、平板スピーカ１０が開口部２ａの開口面に平行である場合に比べ、本体部２の内部に戻る楽音の成分を減らすことができる。よって、天板２７によって電子鍵盤楽器１の前方側に反射させた楽音を開口部２ａよりも下方側に向けて（前方の斜め下側に向けて）放音させることを可能にしつつ、平板スピーカ１０の表面１０ａから出力された楽音を効率良く電子鍵盤楽器１の外部に放音することができる。
【００４０】
また、平板スピーカ１０の後端は、開口部２ａよりも下方（本体部２の内部側）に配置されるため、平板スピーカ１０の後端側の表面１０ａから出力された楽音を天板２７の前端側に伝播させ易くできる。これにより、天板２７に反射した楽音が本体部２の外部に放音され易く（本体部２の内部に伝播され難く）なるため、平板スピーカ１０の表面１０ａから出力された楽音を効率良く電子鍵盤楽器１の前方側へ向けて放音することができる。
【００４１】
このように、開口部２ａの開口面に対して平板スピーカ１０を前方側に向けて下降傾斜させて配置しつつ、平板スピーカ１０の後端部を開口部２ａよりも下方に配置することにより、平板スピーカ１０から出力された楽音が指向性の高い場合であっても、電子鍵盤楽器１の前方側へ向けて楽音を効率良く放音することができる。
【００４２】
また、平板スピーカ１０の前方側の上側前板２４には放音孔２４ａが形成されるため、仮に、天板２７で反射した楽音が本体部２の内部に戻っても、放音孔２４ａを通過させて本体部２の外部へ放音し易くできる。更に、天板２７が開口部２ａを閉塞した状態においても、平板スピーカ１０の表面１０ａから出力された楽音（天板２７に反射した楽音）を、放音孔２４ａを通過させて電子鍵盤楽器１の前方側に向けて放音させることができる。
【００４３】
一方、平板スピーカ１０の裏面１０ｂから出力された楽音は、本体部２の内部に向けて伝播される。平板スピーカ１０は、前方側に向けて下降傾斜して配置されるため、平板スピーカ１０の裏面１０ｂから出力される楽音は本体部２の上側後板２２へ向けて伝播される。これにより、かかる楽音を上側後板２２に反射させ、電子鍵盤楽器１の前方側に向けて放音し易くできる。
【００４４】
平板スピーカ１０の下方側には、本体部２の上部側と下部側との空間を仕切るようにしてシャーシ４１が配置されているため、上側後板２２で反射した楽音はシャーシ４１に向けて伝播される。よって、上側後板２２で反射した楽音がシャーシ４１よりも下方側の空間に放音されることを防止できる。
【００４５】
シャーシ４１は、上側後板２２から本体部２の開口部２ｂ（上側前板２４及び下側前板２５の間の隙間）の下端側に向けて延びるように配置されているため、シャーシ４１で反射した楽音は、開口部２ｂを通過して鍵盤ユニット５側に向けて伝播される（矢印Ａ２参照）。鍵盤ユニット５側に向けて伝播された楽音は、各鍵５１どうしの隙間を通過して電子鍵盤楽器１の前方側（矢印Ｆ側）へ放音される。
【００４６】
このように、平板スピーカ１０の裏面１０ｂから出力された楽音を上側後板２２やシャーシ４１によって開口部２ｂに向けて反射させることにより、電子鍵盤楽器１の前方側（演奏者）へ向けて楽音を放音させ易くできる。
【００４７】
また、平板スピーカ１０の裏面１０ｂから出力された楽音を反射させるために、シャーシ４１とは別の反射板を別途設けることも可能であるが、本実施形態では、かかる反射板としての機能と、鍵盤ユニット５を支持する機能とをシャーシ４１に兼用させている。これにより、部品点数を低減できるので、電子鍵盤楽器１の製品コストを低減できる。
【００４８】
なお、本体部２の内部に形成される空間をシャーシ４１によって仕切る場合、シャーシ４１と、側板２１及び上側後板２２とが完全に密着していなくても良い。即ち、平板スピーカ１０の裏面１０ｂから出力された楽音を開口部２ｂに向けて反射させることができる程度であれば、シャーシ４１と、側板２１や上側後板２２との間に僅かに隙間が形成されていても良い。
【００４９】
また、一対の平板スピーカ１０からは、同一の音色の楽音を出力しても良く、異なる音色の楽音を出力しても良い。音色とは、例えば、アコースティックピアノから出力される楽音のうち、弦の共鳴、響板の響き、筐体の響き、ハンマーが弦を叩く音等を示す。一対の平板スピーカ１０から異なる音色の楽音をそれぞれ出力させることで、アコースティックピアノを模擬した楽音を放音し易くできる。
【００５０】
以上の通り、本実施形態の電子鍵盤楽器１によれば、平板スピーカ１０から出力された楽音を本体部２の上面側の開口部２ａや、前面側の開口部２ｂ（各鍵５１の隙間）から演奏者側に向けて楽音を放音させる構成であるため、アコースティックピアノを模擬した立体的な音場空間を形成できる。更に、平板スピーカ１０から出力される楽音は指向性が高いため、僅かな隙間を通して電子鍵盤楽器１の外部に向けて放音することができると共に、演奏者に加え、電子鍵盤楽器１から離れた位置の聴衆等にも楽音を届けることができる。
【００５１】
次いで、図４（ａ）を参照して、第２実施形態における電子鍵盤楽器２０１の構成について説明する。なお、上述した第１実施形態と同一の部分には同一の符号を付して、その説明は省略する。
【００５２】
図４（ａ）は、第２実施形態における電子鍵盤楽器２０１の側面図であり、紙面垂直方向手前側の側板２１及び側面板４２が取り外された状態が図示される。なお、図４（ａ）中の矢印Ｂ１，Ｂ２は、平板スピーカ１０の表面１０ａ及び裏面１０ｂから出力された楽音の放音経路をそれぞれ示している。また、図４（ａ）では、ブラケット２６ｂが二点鎖線で図示される。
【００５３】
図４（ａ）に示すように、第２実施形態における電子鍵盤楽器２０１は、一対の平板スピーカ１０がシャーシ４１の近傍（シャーシ４１の上面と平板スピーカ１０の後端との上下の間隔が２０ｃｍ以内となる位置）に支持される。図示は省略するが、平板スピーカ１０は、左右方向（矢印Ｌ−Ｒ方向）に一対設けられており、それら一対の平板スピーカ１０の左右方向における配設位置は、第１実施形態における一対の平板スピーカ１０と同様である。
【００５４】
平板スピーカ１０は、前方側に向けて上昇傾斜した状態でブラケット２６ｂを介してシャーシ４１に支持される。本実施形態においては、上側後板２２側（矢印Ｕ側）の面が平板スピーカ１０の表面１０ａであり、シャーシ４１側（矢印Ｄ側）の面が裏面１０ｂである。
【００５５】
平板スピーカ１０が前方側に向けて上昇傾斜した状態でシャーシ４１に支持されるため、平板スピーカ１０の表面１０ａから出力された楽音は、上側後板２２に反射して天板２７（開口部２ａ）に向けて伝播される。天板２７は、開口部２ａに対して前方側に向けて上昇傾斜して配置されるため、天板２７に向けて伝播された楽音は、天板２７に反射して電子鍵盤楽器２０１の前方側へ放音される（矢印Ｂ１参照）。
【００５６】
一方、平板スピーカ１０の裏面１０ｂから出力された楽音は、シャーシ４１で反射することにより、開口部２ｂを通過して鍵盤ユニット５側に向けて伝播される。鍵盤ユニット５側に伝播された楽音は、各鍵５１どうしの隙間を通過して電子鍵盤楽器２０１の前方側に放音される（矢印Ｂ２参照）。
【００５７】
このように、平板スピーカ１０の表面１０ａや裏面１０ｂから出力された楽音を、天板２７、上側後板２２及びシャーシ４１に反射させることにより、電子鍵盤楽器２０１の前方側に向けて楽音を放音させ易くできる。更に、平板スピーカ１０から出力された楽音を本体部２の上面および前面の２個所の開口部２ａ，２ｂから演奏者側に向けて放音させることにより、アコースティックピアノを模擬した立体的な音場空間を形成できる。
【００５８】
次いで、図４（ｂ）を参照して、第３実施形態における電子鍵盤楽器３０１の構成について説明する。なお、上述した各実施形態と同一の部分には同一の符号を付して、その説明は省略する。図４（ｂ）は、第３実施形態における電子鍵盤楽器３０１の側面図であり、紙面垂直方向手前側の側板２１及び側面板４２を取り外した状態が図示される。なお、図４（ｂ）中の矢印Ｃ１，Ｃ２，Ｃ３，Ｃ４は、平板スピーカ３１１，３１２から出力された楽音の放音経路をそれぞれ示している。
【００５９】
図４（ｂ）に示すように、第３実施形態における電子鍵盤楽器３０１は、第１実施形態における電子鍵盤楽器１の上側前板２４に代えて上側前板３２４及び平板スピーカ３１１が配置され、上側後板２２及び下側後板２３に代えて平板スピーカ３１２が配置される。また、電子鍵盤楽器３０１は、第１実施形態における電子鍵盤楽器１の一対のコーンスピーカ３が省略され、放音孔２５ａは、スピーカグリルやネットにより覆われている。
【００６０】
鍵盤ユニット５が露出された（鍵盤蓋６が開放された）状態において、平板スピーカ３１１は、鍵盤蓋６の上端よりも上方側（矢印Ｕ側）に配置され、平板スピーカ３１１の下方（矢印Ｄ方向）に上側前板３２４が配置される。
【００６１】
また、平板スピーカ３１１及び平板スピーカ３１２は、左右方向（矢印Ｌ−Ｒ方向）において一対の側板２１の間にわたって配置される。これにより、本体部３０２の前面の一部が平板スピーカ３１１によって形成され、本体部３０２の後面の全体が平板スピーカ３１２によって形成される。このように、平板スピーカ３１１，３１２を本体部３０２の壁面の一部として構成することで、平板スピーカ３１１，３１２の面積を大きく形成できる。よって、平板スピーカ３１１，３１２から低音域の楽音を出力させ易くできる。
【００６２】
ここで、平板スピーカ３１１，３１２の前方側（矢印Ｆ側）の面を表面３１１ａ，３１２ａ、平板スピーカ３１１，３１２の後方側（矢印Ｂ側）の面を裏面３１１ｂ，３１２ｂ、とそれぞれ定義する。
【００６３】
平板スピーカ３１１の表面３１１ａから出力された楽音は、電子鍵盤楽器３０１の前方側へ向けて放音される（矢印Ｃ１参照）。即ち、平板スピーカ３１１の表面３１１ａから出力された楽音は演奏者へ向けて直接放音される。
【００６４】
平板スピーカ３１１の裏面３１１ｂから出力された楽音は、本体部２の内部に向けて出力される（矢印Ｃ２参照）。平板スピーカ３１１の裏面３１１ｂから出力された楽音は指向性が高いものの、本体部２の内部で反射を繰り返し、開口部２ａ，２ｂを通過して電子鍵盤楽器３０１の前方側に向けて放音される。即ち、平板スピーカ３１１の裏面３１１ｂから出力された楽音は、演奏者へ向けて間接的に（反射を繰り返して）放音される。
【００６５】
また、平板スピーカ３１２の表面３１２ａから出力された楽音は、本体部３０２の内部に向けて出力される（矢印Ｃ３参照）。平板スピーカ３１２から本体部３０２の内部に向けて出力された楽音は、開口部２ｂや放音孔２５ａを直接通過するか、若しくは、本体部２の内部で反射を繰り返して開口部２ａ，２ｂや放音孔２５ａを通過し、電子鍵盤楽器３０１の前方側に向けて放音される。
【００６６】
このように、平板スピーカ３１１，３１２からの直接的な楽音と、間接的な楽音とのそれぞれを演奏者に向けて放音させると共に、それら直接的な楽音や間接的な楽音のそれぞれを２個所の開口部２ａ，２ｂから放音させることにより、アコースティックピアノを模擬した立体的な音場空間を形成できる。
【００６７】
一方、平板スピーカ３１２の裏面３１２ｂから出力された楽音は、電子鍵盤楽器３０１の後方側へ向けて直接放音される（矢印Ｃ４参照）。これにより、電子鍵盤楽器３０１の後方側の聴衆等に向けて放音し易くできる。
【００６８】
また、本体部３０２の後面の全体が平板スピーカ３１２によって形成されるため、アップライト形のアコースティックピアノの響板を平板スピーカ３１２によって模擬できる。これにより、アップライト形のアコースティックピアノを模擬した楽音を放音し易くできる。
【００６９】
次いで、図５を参照して、第４実施形態における電子鍵盤楽器４０１の構成について説明する。なお、上述した各実施形態と同一の部分には同一の符号を付して、その説明は省略する。図５（ａ）及び図５（ｂ）は、第４実施形態における電子鍵盤楽器４０１の上面図である。なお、図５（ｂ）では、図５（ａ）に示すスピーカ支持部材４２６及び平板スピーカ４１０を取り外した状態が図示される。
【００７０】
図５に示すように、第４実施形態における電子鍵盤楽器４０１は、鍵支持部４から後方側（矢印Ｂ側）に延びる本体部４０２と、その本体部４０２に支持される複数（本実施形態では３４個）の平板スピーカ４１０と、を備えるグランドピアノ形の電子鍵盤楽器（電子ピアノ）として構成される。
【００７１】
なお、図示は省略するが、電子鍵盤楽器４０１には、本体部４０２を支持する脚部材と、本体部４０２の上面（図５の紙面垂直方向手前側）の開口部４０２ａを開閉する大屋根（蓋部）とが取りけられている。大屋根は、本体部４０２の左端において前後方向に沿った軸周りに回転可能に設けられる。
【００７２】
本体部４０２は、樹脂製、金属製または木製の板状体を組み合わせて形成される筐体であり、その本体部４０２の上面が開放される箱状に形成される。本体部４０２は、その本体部４０２の側面や後面を構成する側板４２１と、その側板４２１に固定されるスピーカ支持部材４２６と、そのスピーカ支持部材４２６の下方（図５（ａ）の紙面垂直方向奥側）に配置される底板４２８（図５（ｂ）参照）と、を備える。
【００７３】
本体部４０２の後端部を構成する側板４２１が湾曲して形成されることで、鍵盤ユニット５（鍵５１）から本体部４０２の後端部までの奥行き寸法は、高音側（矢印Ｒ側）よりも低音側（矢印Ｌ側）が大きくされる。
【００７４】
スピーカ支持部材４２６は、その外形が側板４２１の内周面に沿った形状とされ、スピーカ支持部材４２６は、開口部４０２ａの開口面に略平行な姿勢で側板４２１の上端側（図５（ａ）の紙面垂直方向手前側）の内周面に固定される。なお、開口部４０２ａの「開口面」とは、側板４２１の上端に沿う面である。
【００７５】
スピーカ支持部材４２６には複数の矩形の貫通孔（図示せず）が形成され、それら複数の貫通孔が前後および左右に並べて配置されることにより、スピーカ支持部材４２６は格子状に形成される。
【００７６】
底板４２８は、その外形が側板４２１の内周面に沿った形状とされ、底板４２８は、側板４２１の下端側（図５（ａ）の紙面垂直方向奥側）の内周面に固定される。底板４２８には、平板スピーカ４１０から出力された楽音を通過させるための複数（本実施形態では８個）の放音孔４２８ａが形成される。なお、放音孔４２８ａの形状は、矩形、円形または楕円形等に形成され、各放音孔４２８ａはそれぞれ異なる大きさに形成されるが、本実施形態においては、同一の符号を付して説明する。
【００７７】
平板スピーカ４１０は、第１実施形態における平板スピーカ１０に対し、左右方向および前後方向の寸法がそれぞれ異なる以外は同一に形成される。
【００７８】
各平板スピーカ４１０は、スピーカ支持部材４２６の貫通孔（図示せず）に嵌め込まれた状態でスピーカ支持部材４２６に固定される。これにより、各平板スピーカ４１０は、開口部４０２ａの開口面に略平行な姿勢で本体部４０２の上面に格子状に並べて配置される。
【００７９】
このように、平板スピーカ４１０を複数（本実施形態では３４個）配置することで、押鍵された鍵５１に応じて各平板スピーカ４１０からそれぞれ異なる音色の楽音を出力できる。これにより、アコースティックピアノを模擬した立体的な音場空間を形成できる。
【００８０】
また、平板スピーカ４１０の上面から出力された楽音は、本体部４０２の開口部４０２ａを覆う大屋根（図示せず）に反射して電子鍵盤楽器４０１の周囲に放音され、平板スピーカ４１０の下面から出力された楽音は、底板４２８の放音孔４２８ａを通過して本体部４０２の外部に放音される。これによっても、立体的な音場空間を形成でき、アコースティックピアノを模擬した楽音を放音し易くできる。
【００８１】
また、複数の平板スピーカ４１０がスピーカ支持部材４２６に格子状に並べて配置されるため、より低音域までの音を各平板スピーカ４１０から出力できる。よって、各平板スピーカ４１０から低音域から高音域までの楽音をフルレンジで放音し易くできるので、アコースティックピアノを模擬した楽音を放音し易くできる。
【００８２】
次いで、図６を参照して、第５実施形態における電子鍵盤楽器５０１の構成について説明する。なお、上述した各実施形態と同一の部分には同一の符号を付して、その説明は省略する。図６は、第５実施形態における電子鍵盤楽器５０１の正面斜視図である。
【００８３】
図６に示すように、第５実施形態における電子鍵盤楽器５０１は、本体部５０２と、その本体部５０２に支持される鍵盤ユニット５及び平板スピーカ５１０と、を備えるステージピアノとして構成される。
【００８４】
本体部５０２は、樹脂製、金属製または木製の板状体を組み合わせて形成される筐体である。本体部５０２は、正面パネル５２１と、その正面パネル５２１と前後方向（矢印Ｆ−Ｂ方向）で対向配置される背面パネル５２２と、正面パネル５２１及び背面パネル５２２の左右方向（矢印Ｌ−Ｒ方向）端部どうしを接続する一対の端パネル５２３と、を備える。正面パネル５２１、背面パネル５２２及び一対の端パネル５２３によって鍵５１及び平板スピーカ５１０が取り囲まれる。
【００８５】
平板スピーカ５１０は、第１実施形態における平板スピーカ１０に対し、左右方向および前後方向の寸法がそれぞれ異なる以外は同一に形成される。平板スピーカ５１０の左右方向の寸法は、一対の端パネル５２３の対向間の距離と略同等に設定される。
【００８６】
平板スピーカ５１０は、鍵盤ユニット５よりも後方側における本体部５０２の上面に配置されるので、平板スピーカ５１０から出力された楽音を演奏者へ直接放音できる。また、左右方向において本体部５０２の略全長にわたって平板スピーカ５１０が配置されることで平板スピーカ５１０の面積を大きく形成できるので、平板スピーカ５１０から低音域の楽音を出力させ易くできる。
【００８７】
以上、上記各実施形態の電子鍵盤楽器１，２０１，３０１，４０１，５０１によれば、電磁力によって振動膜１２を振動させる全面駆動型の平板スピーカを用いて楽音を出力する構成であるので、静電型の面スピーカのようにバイアス電圧を印加することを不要にできる。よって、かかる電圧を印加するための電源を不要とできるため、製品コストの増大を抑制できる。
【００８８】
以上、上記実施形態に基づき説明したが、本発明は上記形態に何ら限定されるものではなく、本発明の趣旨を逸脱しない範囲内で種々の変形改良が可能であることは容易に推察できるものである。
【００８９】
上記各実施形態において、平板スピーカ１０，３１１，３１２，４１０，５１０は、平板スピーカ１０，３１１，３１２，４１０，５１０の表面がスピーカグリルやネットにより覆われても良い。
【００９０】
上記第１実施形態から第３実施形態において、一対の側板２１の後端が上下方向の軸周りに回転可能に配置され、本体部２の側方に形成される開口部（第１の開口部）を一対の側板２１により開閉可能としても良い。この場合には、その開口部に対して平板スピーカを傾斜させる（平板スピーカの前端側を後端側よりも本体部２の内部側に配置する）ことが好ましい。これにより、平板スピーカから出力された楽音を一対の側板２１に反射させることで電子鍵盤楽器１，２０１，３０１の前方側へ向けて放音し易くできる。
【００９１】
上記第１実施形態および第２実施形態において、天板２７が開口部２ａを閉塞した状態で、天板２７の前端を上側前板２４よりも前方側に突出させても良い。これにより、平板スピーカ１０の表面１０ａから出力された楽音の全体を天板２７に反射させ易くできるので、かかる楽音を電子鍵盤楽器１，２０１の前方側（演奏者）へ向けて効果的に放音できる。
【００９２】
上記第１実施形態および第２実施形態において、上側後板２２に放音孔が形成されても良い。これにより、平板スピーカ１０から上側後板２２に向けて出力された楽音を、上側後板２２の放音孔を通過させて電子鍵盤楽器１，２０１の後方側へ向けて放音し易くできる。
【００９３】
上記第１実施形態および第２実施形態では、開口部２ａの開口面に対する平板スピーカ１０の傾斜が２８°に設定され、天板２７の傾斜が２０°に設定される場合について説明したが、必ずしもこれに限られるものではない。例えば、開口部２ａの開口面に対する平板スピーカ１０の傾斜角は２０°以上４０°未満、天板２７の傾斜角は１０°以上３０°未満に設定すれば良い。
【００９４】
上記第１実施形態および第２実施形態において、シャーシ４１とは別の反射板が開口部２ｂから上側後板２２にかけて配置されても良い。この場合、かかる反射板は、前端側に向かうにつれて下降傾斜して配置されることが好ましい。これにより、平板スピーカ１０の裏面１０ｂから出力された楽音を電子鍵盤楽器１，２０１の前方側へ向けて放音し易くできる。
【００９５】
上記第１実施形態において、コーンスピーカ３及び平板スピーカ１０に加え、コーンスピーカ３と同等もしくは異なる大きさのコーンスピーカを設けても良い。これにより、アコースティックピアノを模擬した立体的な音場空間を形成し易くできる。
【００９６】
上記第３実施形態において、平板スピーカ３１１と平板スピーカ３１２とが前後で対面する領域に反射板が設けられても良い。この場合には、反射板は、前方側に向かうにつれて上昇傾斜もしくは下降傾斜して配置されるのが好ましい。これにより、平板スピーカ３１１の裏面３１１ｂや、平板スピーカ３１２の表面３１２ａから出力される楽音を反射板に反射させて上方および下方に向けて伝播させることができる。これにより、かかる楽音を天板２７やシャーシ４１に反射させ、電子鍵盤楽器３０１の前方側に向けて放音させ易くできる。
【００９７】
上記第３実施形態において、平板スピーカ３１２の上端が、平板スピーカ３１１の下端よりも下方側（矢印Ｄ側）に位置していても良い。これにより、平板スピーカ３１１の裏面３１１ｂから出力される楽音と平板スピーカ３１２の表面３１２ａから出力される楽音とが干渉することを防止できる。
【００９８】
上記第３実施形態において、平板スピーカ３１１に加え（若しくは、平板スピーカ３１１を省略し）、本体部２の下側前板２５に代えて平板スピーカを設けても良い。
【００９９】
上記第４実施形態では、複数（本実施形態では３４個）の平板スピーカ４１０がスピーカ支持部材４２６の複数の貫通孔（図示せず）に嵌め込まれる場合について説明したが、必ずしもこれに限られるものではなく、一部の貫通孔に対して平板スピーカ４１０が配設されなくても良い。これにより、平板スピーカ４１０の下面から出力されて底板４２８に反射した楽音を、スピーカ支持部材４２６の貫通孔を介して本体部４０２の上方側へ向けて放音できる。
【０１００】
上記第３実施形態では、一対のコーンスピーカ３が省略される場合について説明したが、必ずしもこれに限られるものではない。例えば、コーンスピーカ３と同等もしくは異なる大きさのコーンスピーカを、平板スピーカ３１１，３１２と併用しても良い。これにより、アコースティックピアノを模擬した立体的な音場空間を形成し易くできる。
【０１０１】
上記第４実施形態において、押鍵された鍵５１に応じて、隣り合う、又は、離れた位置に配置された複数の平板スピーカ４１０から同一の音色の楽音が出力されても良い。
【０１０２】
上記第４実施形態において、押鍵された鍵５１に応じて複数の平板スピーカ４１０のうち、一部の平板スピーカ４１０からのみ楽音が出力されても良い。
【０１０３】
上記第４実施形態において、前後に長い帯状の平板スピーカをスピーカ支持部材４２６の左右に複数並べて配置しても良い（平板スピーカを格子状に並べて配置するのではなく、左右方向のみに並べて配置しても良い）。この場合、それら複数の平板スピーカは、低音側に位置するものほど面積が大きく形成されるので、低音側に位置する平板スピーカから低音域の楽音を出力し、高音側に位置する平板スピーカから高音域の楽音を出力することが好ましい。これにより、各平板スピーカの全体からフルレンジで良好な楽音を出力し易くできる。
【０１０４】
上記第４実施形態では、各平板スピーカ４１０が開口部４０２ａの開口面に略平行な姿勢で配置される場合について説明したが、必ずしもこれに限られるものではなく、各平板スピーカ４１０が開口部４０２ａの開口面に対して傾斜して配置されても良い。例えば、本体部４０２の左端側（大屋根の回転軸側）に向けて平板スピーカ４１０を上昇傾斜させることで、平板スピーカ４１０から出力された楽音を大屋根に反射させつつ、本体部４０２の外部へ向けて放音させ易くできる。また、各平板スピーカ４１０を後方側に向けて上昇傾斜して配置することで、電子鍵盤楽器４０１の前方側（演奏者側）へ向けて放音し易くできる。
【０１０５】
上記第５実施形態において、平板スピーカ５１０を分割して左右に複数並べて配置しても良い。これにより、押鍵された鍵５１に応じて各平板スピーカ５１０からそれぞれ異なる音色の楽音を出力できるので、立体的な音場空間を形成できる。また、例えば、低音側に配置される平板スピーカ５１０から低音域の楽音を出力させ、高音側に配置される平板スピーカ５１０から高音域の楽音を出力させても良い。
【符号の説明】
【０１０６】
１，２０１，３０１，４０１，５０１        電子鍵盤楽器
２，３０２，４０２，５０２                本体部（筐体）
２ａ，４０２ａ                            開口部（第１の開口部）
２ｂ                                      開口部（第２の開口部）
２４ａ                                    放音孔
４２６                                    スピーカ支持部材（上板）
２７                                      天板（蓋部）
４２８                                    底板
４２８ａ                                  放音孔
３                                        コーンスピーカ（スピーカ）
４                                        鍵支持部（筐体）
４１                                      シャーシ（反射板）
５１                                      鍵
１０，３１１，３１２，４１０，５１０      平板スピーカ（スピーカ）
１１                                      磁石板
１２                                      振動膜
１２ａ                                    導線
【図１】
2020173295.tif 000003
【図２】
2020173295.tif 000004
【図３】
2020173295.tif 000005
【図４】
2020173295.tif 000006
【図５】
2020173295.tif 000007
【図６】
2020173295.tif 000008